(57)【要約】【課題】光源に対する作業を容易にした照明器具を提供する。【解決手段】照明器具（１００）は、光源（１１０）と、枠部（１２０）と、装着板（１３０）と、回転部（１４０）とを備える。光源（１１０）は光を出射する。枠部（１２０）には、光源（１１０）から出射された光を通過させる貫通孔が設けられる。装着板（１３０）は、枠部（１２０）に装着される。回転部（１４０）は、光源（１１０）を保持し、枠部（１２０）および装着板（１３０）に対して回転可能である。装着板（１３０）は、枠部（１２０）の側面に固定される。【選択図】図１
2019192485.tif 000002
【特許請求の範囲】
【請求項１】
光を出射する光源と、
前記光源から出射された光を通過させる貫通孔が設けられた枠部と、
前記枠部に装着される装着板と、
前記光源を保持し、前記枠部および前記装着板に対して回転可能な回転部と
を備え、
前記装着板は、前記枠部の側面に固定される、照明器具。
【請求項２】
前記装着板は、前記枠部の外周側面に固定される、請求項１に記載の照明器具。
【請求項３】
前記装着板は、環状部と、前記環状部から延びる連結部とを有する、請求項１または２に記載の照明器具。
【請求項４】
前記回転部は、回転板と、前記回転板に接続し、前記光源を保持する光源保持部とを有する、請求項１から３のいずれかに記載の照明器具。
【請求項５】
前記枠部は、前記回転板の側方に位置する突起部を有する、請求項４に記載の照明器具。
【請求項６】
前記光源保持部は前記光源に対して回動する、請求項４または５に記載の照明器具。
【請求項７】
前記回転板には、前記回転板の内側または外側に延びるとともに前記枠部または前記装着板の側方に位置するガイド部が設けられる、請求項４から６のいずれかに記載の照明器具。
【発明の詳細な説明】
【技術分野】
【０００１】
本発明は、照明器具に関する。
【背景技術】
【０００２】
照明器具の一種として、光源が回転可能に取り付けられた照明器具が知られている（特許文献１）。特許文献１の照明器具では、器具本体とカバーとの間に位置する回転板とともに光源を回転できるとともに、光源は回転板に対して回動可能である。特許文献１の照明器具では、カバーは鍔部において器具本体の上部に上方からネジ止めされる。
【先行技術文献】
【特許文献】
【０００３】
【特許文献１】特開２０１３−４５７１１号公報
【発明の概要】
【発明が解決しようとする課題】
【０００４】
しかしながら、特許文献１の照明器具では、カバーの鍔部と器具本体の上部とを上面からネジ止めするため、器具本体が充分に厚くなければならない。このため、器具本体の外径を大きくできない場合、器具本体の内径が小さくならざるを得ない。この場合、特許文献１の照明器具では、光源の交換、修理、清掃またはメンテナンスといった作業が困難になることがあった。
【０００５】
本発明は、上記課題に鑑みてなされたものであり、光源に対する作業を容易にした照明器具を提供することを目的とする。
【課題を解決するための手段】
【０００６】
本発明による照明器具は、光源と、枠部と、装着板と、回転部とを備える。前記光源は光を出射する。前記枠部には、前記光源から出射された光を通過させる貫通孔が設けられる。前記装着板は、前記枠部に装着される。前記回転部は、前記光源を保持し、前記枠部および前記装着板に対して回転可能である。前記装着板は、前記枠部の側面に固定される。
【０００７】
ある実施形態において、前記装着板は、前記枠部の外周側面に固定される。
【０００８】
ある実施形態において、前記装着板は、環状部と、前記環状部から延びる連結部とを有する。
【０００９】
ある実施形態において、前記回転部は、回転板と、前記回転板に接続し、前記光源を保持する光源保持部とを有する。
【００１０】
ある実施形態において、前記枠部は、前記回転板の側方に位置する突起部を有する。
【００１１】
ある実施形態において、前記光源保持部は前記光源に対して回動する。
【００１２】
ある実施形態において、前記回転板には、前記回転板の内側または外側に延びるとともに前記枠部または前記装着板の側方に位置するガイド部が設けられる。
【発明の効果】
【００１３】
本発明によれば、光源に対する作業を容易にした照明器具を提供できる。
【図面の簡単な説明】
【００１４】
【図１】本発明による照明器具の実施形態の模式的な断面図である。
【図２】（ａ）および（ｂ）は、本実施形態の照明器具の模式的な斜視図である。
【図３】（ａ）および（ｂ）は、本実施形態の照明器具の模式的な分解斜視図である。
【図４】本実施形態の照明器具の模式的な断面図である。
【図５】（ａ）および（ｂ）は、本実施形態の照明器具の模式的な斜視図である。
【図６】（ａ）および（ｂ）は、本実施形態の照明器具の模式的な分解斜視図である。
【図７】（ａ）および（ｂ）は、図６（ａ）および図６（ｂ）の一部拡大図である。
【図８】本実施形態の照明器具の模式的な断面図である。
【図９】（ａ）および（ｂ）は、本実施形態の照明器具の模式的な斜視図である。
【発明を実施するための形態】
【００１５】
以下、図面を参照して、本発明による照明器具の実施形態を説明する。図中、同一または相当部分については同一の参照符号を付して説明を繰り返さない。なお、本願明細書では、発明の理解を容易にするため、互いに直交するＸ方向、Ｙ方向およびＺ方向を参照して説明することがある。例えば、Ｘ方向およびＹ方向は水平方向に平行であり、Ｚ方向は鉛直方向に平行である。ただし、Ｘ方向およびＹ方向は水平方向以外の方向に平行であってもよく、Ｚ方向は鉛直方向以外の方向に平行であってもよい。
【００１６】
図１を参照して、本実施形態の照明器具１００を説明する。図１は、照明器具１００の模式的な断面図である。照明器具１００は、光源１１０と、枠部１２０と、装着板１３０と、回転部１４０とを備える。
【００１７】
光源１１０は光を出射する。ここでは、光源１１０は、−Ｚ方向に向かって光を出射する。光源１１０の光軸ＬＡはＺ方向に平行である。例えば、光源１１０は発光ダイオード（Ｌｉｇｈｔ  Ｅｍｉｔｔｉｎｇ  Ｄｉｏｄｅ：ＬＥＤ）を備える電球である。あるいは、光源１１０は、白熱電球または蛍光灯であってもよい。
【００１８】
枠部１２０には貫通孔が設けられる。枠部１２０の貫通孔は、光源１１０から出射された光を通過させる。
【００１９】
枠部１２０は、貫通孔の設けられた略筒形状である。例えば、枠部１２０は略円筒形状である。光源１１０は、枠部１２０の上方に配置される。光源１１０から出射された光は、枠部１２０の貫通孔の一端の開口から貫通孔内に進入し、貫通孔を通過して、枠部１２０の貫通孔の他端の開口から進出する。
【００２０】
枠部１２０の貫通孔の一端の開口は、枠部１２０の上面によって規定される。枠部１２０の上面は環状である。例えば、枠部１２０の上面は円環状である。
【００２１】
枠部１２０の貫通孔の他端の開口は、枠部１２０の下面によって規定される。枠部１２０の下面は環状である。例えば、枠部１２０の下面は円環状である。
【００２２】
枠部１２０は、筒部１２２と、鍔部１２４とを有する。筒部１２２および鍔部１２４は一体的に設けられる。
【００２３】
筒部１２２には、貫通孔が設けられる。筒部１２２の貫通孔の中心は光源１１０の光軸ＬＡと平行である。筒部１２２は、貫通孔の設けられた略筒形状である。例えば、筒部１２２は略円筒形状である。
【００２４】
鍔部１２４は、筒部１２２の下端（−Ｚ方向側の端部）の周囲を囲む。例えば、鍔部１２４は、筒部１２２に接続し、径方向外側に延びる。なお、枠部１２０には、筒部１２２に対して径方向に広がる鍔部１２４が設けられるため、枠部１２０の上面の面積は枠部１２０の下面の面積よりも小さい。
【００２５】
装着板１３０は枠部１２０に装着される。装着板１３０は薄板から形成される。装着板１３０は環状構造を有する。装着板１３０の厚さ（Ｚ方向の長さ）は、装着板１３０の外径（ＸＹ平面に沿った長さ）よりも小さい。例えば、装着板１３０は円環状構造を有する。
【００２６】
回転部１４０は、光源１１０を保持する。回転部１４０は、枠部１２０および装着板１３０に対して回転可能である。
【００２７】
回転部１４０は、回転板１４２と、光源保持部１４４とを有する。ここでは、回転板１４２および光源保持部１４４は一体的に設けられる。回転板１４２は、枠部１２０と装着板１３０との間に配置される。回転板１４２は、枠部１２０と装着板１３０との間に挟まれた状態で回転可能である。光源保持部１４４は、回転板１４２とともに回転する。回転板１４２の回転面はＸＹ平面に平行である。
【００２８】
回転板１４２は環状構造を有する。回転板１４２の厚さ（Ｚ方向の長さ）は、回転板１４２の外径（ＸＹ平面に沿った長さ）よりも小さい。例えば、回転板１４２は円環状である。光源１１０の光軸ＬＡは回転板１４２の中心を通過する。
【００２９】
回転板１４２は、枠部１２０の上面に対向する。回転板１４２は、枠部１２０の上面の上方に配置される。回転板１４２の外径は、枠部１２０の上面の内径よりも長い。また、回転板１４２の外径は、枠部１２０の上面の外径よりも短いことが好ましい。ただし、回転板１４２の外径は、枠部１２０の上面の外径とほぼ等しくてもよく、枠部１２０の上面の外径よりも長くてもよい。
【００３０】
また、回転板１４２の内径は、枠部１２０の上面の内径よりも短いことが好ましい。ただし、回転板１４２の内径は、枠部１２０の上面の内径とほぼ等しくてもよく、枠部１２０の上面の内径よりも長くてもよい。
【００３１】
装着板１３０の外径は、回転板１４２の外径よりも長いことが好ましい。ただし、装着板１３０の外径は、回転板１４２の外径とほぼ等しくてもよく、回転板１４２の外径よりも短くてもよい。
【００３２】
回転板１４２は、枠部１２０の上面と装着板１３０との間で回転する。この場合、回転板１４２に対して発生する摩擦を低減させるために、回転板１４２と枠部１２０の上面との重なる重畳領域は狭いことが好ましい。
【００３３】
光源保持部１４４は、光源１１０を保持する。光源保持部１４４は、ソケット１４４ｓを有する。光源１１０は、光源保持部１４４のソケット１４４ｓに取り付けられる。
【００３４】
ここでは、光源保持部１４４は、アーム部１４４ａを有する。ここでは、アーム部１４４ａは、細長い板状部材から形成される。アーム部１４４ａは、光源１１０のＸ方向側方およびＺ方向上方に位置する。アーム部１４４ａの両端は回転板１４２と連絡する。例えば、アーム部１４４ａは、板状部材を折り曲げることによって形成される。
【００３５】
アーム部１４４ａは、直線部１４４ａ１と、連絡部１４４ａ２と、直線部１４４ａ３とを有する。直線部１４４ａ１は、回転板１４２から＋Ｚ方向に延びる。直線部１４４ａ３は、回転板１４２から＋Ｚ方向に延びる。連絡部１４４ａ２は、直線部１４４ａ１の端部と直線部１４４ａ３の端部との間を連絡する。連絡部１４４ａ２は、直線部１４４ａ１の端部から＋Ｘ方向かつ＋Ｚ方向に延びた後、＋Ｘ方向に平行に進み、その後、＋Ｘ方向かつ−Ｚ方向に延びて直線部１４４ａ３の端部と連絡する。
【００３６】
装着板１３０の内径は、光源保持部１４４の外径よりも長い。例えば、光源１１０の光軸ＬＡから装着板１３０の内周側面までの長さは、光源１１０の光軸ＬＡから直線部１４４ａ１または直線部１４４ａ３の外周側面までの長さよりも長い。
【００３７】
ソケット１４４ｓは、連絡部１４４ａ２に取り付けられる。ソケット１４４ｓの光源設置部は−Ｚ方向を向く。光源１１０は、−Ｚ方向から＋Ｚ方向に向かうように移動させてソケット１４４ｓに取り付けられる。
【００３８】
次に、図２を参照して本実施形態の照明器具１００の構成を説明する。図２（ａ）および図２（ｂ）は、本実施形態の照明器具１００の模式的な斜視図である。図２（ａ）は、照明器具１００を斜め下方から視た斜視図であり、図２（ｂ）は、照明器具１００を斜め上方から視た斜視図である。
【００３９】
装着板１３０は枠部１２０の側面に固定される。固定部１３０ａが装着板１３０を枠部１２０の側面に固定する。例えば、固定部１３０ａは、ボルトおよびナットを含む。または、固定部１３０ａは、ビスまたはリベットを含んでもよい。
【００４０】
ここでは、装着板１３０は枠部１２０の外周側面に固定される。この場合、固定部１３０ａは、装着板１３０の一部が枠部１２０の外周側面に接触した状態で装着板１３０を枠部１２０の外周側面に固定する。
【００４１】
例えば、固定部１３０ａがボルト、ビスまたはリベットを含む場合、枠部１２０の側部に貫通孔が設けられ、装着板１３０に貫通孔が設けられる。枠部１２０の貫通孔および装着板１３０の貫通孔の大きさはほぼ等しい。なお、枠部１２０の貫通孔にはネジ溝が切られていてもよい。また、装着板１３０の貫通孔の内面もネジ溝が切られていてもよい。枠部１２０の貫通孔が装着板１３０の貫通孔と整合するように枠部１２０に対して装着板１３０を位置合わせする。この状態で、ボルト、ビスまたはリベットを枠部１２０の貫通孔および装着板１３０の貫通孔に貫通させて装着板１３０を枠部１２０の側面に固定する。
【００４２】
本実施形態の照明器具１００では、装着板１３０は枠部１２０の側面に固定される。このため、枠部１２０の側部の厚さを薄くできる。したがって、枠部１２０の外径が比較的小さくても、枠部１２０の内径を比較的大きくできるため、作業者が枠部１２０に手を入れやすく、光源１１０に対する作業を容易にできる。また、装着板１３０は枠部１２０の側面に固定されるため、枠部１２０に対して装着板１３０を容易に装着できる。
【００４３】
装着板１３０は、環状部１３２と、連結部１３４とを含む。例えば、環状部１３２および連結部１３４は一体的に設けられる。
【００４４】
環状部１３２は環状構造を有する。環状部１３２の厚さ（Ｚ方向の長さ）は、環状部１３２の外径（ＸＹ平面に沿った長さ）よりも小さい。例えば、環状部１３２は円環構造を有する。光源１１０の光軸ＬＡは環状部１３２の中心を通過する。環状部１３２は、回転部１４０の回転板１４２（図１）の上方に位置し、回転板１４２は、装着板１３０の環状部１３２と枠部１２０の上面との間に挟まれる。
【００４５】
連結部１３４は、環状部１３２から延びる。ここでは、連結部１３４は、環状部１３２の外周側から−Ｚ方向に延びる。例えば、連結部１３４は、環状部１３２に対して折り曲げて形成される。連結部１３４は、ブレーキ加工によって環状部１３２に対して折り曲げ加工される。例えば、連結部１３４には貫通孔が設けられる。
【００４６】
装着板１３０の連結部１３４は、枠部１２０の筒部１２２の側面に位置する。このため、回転板１４２（図１）が枠部１２０と装着板１３０との間から外部に移動し始めると、回転板１４２は連結部１３４に衝突する。したがって、回転板１４２が枠部１２０と装着板１３０との間から外れることが抑制される。
【００４７】
なお、固定部１３０ａは、枠部１２０および装着板１３０をかしめて形成されてもよい。または、固定部１３０ａは接着剤であってもよい。例えば、装着板１３０を枠部１２０の外周側面に固定する場合、枠部１２０の外周側面と連結部１３４の内側面との間に接着剤を付着する。または、固定部１３０ａは、枠部１２０および装着板１３０を溶着させて形成されてもよい。
【００４８】
図３（ａ）および図３（ｂ）は、本実施形態の照明器具１００の模式的な分解斜視図である。図３（ａ）は、照明器具１００を斜め下方から視た分解斜視図であり、図３（ｂ）は、照明器具１００を斜め上方から視た分解斜視図である。
【００４９】
照明器具１００は、例えば、以下のように作製される。まず、装着板１３０の貫通孔に回転部１４０を貫通させる。装着板１３０は、回転部１４０の回転板１４２とソケット１４４ｓとの間に位置する。装着板１３０の内径は、光源保持部１４４の外径よりも長いため、回転部１４０が装着板１３０の貫通孔を貫通するように装着板１３０に回転部１４０を挿入できる。
【００５０】
次に、装着板１３０および回転部１４０に枠部１２０を取り付ける。枠部１２０と装着板１３０の環状部１３２との間で回転板１４２を挟むように装着板１３０および回転部１４０に枠部１２０を取り付ける。この場合、装着板１３０の連結部１３４は、取り付け時の位置決めに好適に用いられる。
【００５１】
例えば、固定部１３０ａがボルト、ビスまたはリベットを含む場合、枠部１２０の貫通孔を装着板１３０の貫通孔に重ねるように枠部１２０に対して装着板１３０を位置合わせする。その後、固定部１３０ａを枠部１２０の貫通孔および装着板１３０の貫通孔に貫通させて枠部１２０に装着板１３０を固定する。このように、連結部１３４の貫通孔を枠部１２０の貫通孔に重ねることで枠部１２０および回転部１４０を簡便に位置合わせできる。
【００５２】
本実施形態の照明器具１００では、装着板１３０は枠部１２０の側面に固定される。このため、枠部１２０の側部の厚さを薄くできるので、枠部１２０の内部空間を比較的大きく確保でき、光源１１０の作業（例えば、交換、修理、清掃またはメンテナンス）を容易にできる。また、装着板１３０は枠部１２０の外周側面に固定されるため、枠部１２０に対する装着板１３０の装着を容易にできる。さらに、枠部１２０の筒部１２２の肉厚を薄くできるため、枠部１２０に対する回転板１４２の接触面積を小さくでき摩擦を低減できる。したがって、弱い操作力で回転部１４０の回転操作を行うことができ、操作性が向上する。
【００５３】
なお、図１から図３に示した照明器具１００では、装着板１３０は、枠部１２０の外周側面に固定されたが、本発明はこれに限定されない。装着板１３０は、枠部１２０の内周側面に固定されてもよい。例えば、装着板１３０の連結部１３４は、環状部１３２の内周側から−Ｚ方向に延び、装着板１３０の連結部１３４は枠部１２０の内周側面に固定されてもよい。
【００５４】
また、図１から図３に示した照明器具１００では、回転部１４０の回転板１４２および光源保持部１４４は一体的に設けられていたが、本実施形態はこれに限定されない。回転部１４０は複数の部材から構成されてもよい。
【００５５】
また、図１から図３に示した照明器具１００では、装着板１３０の環状部１３２は平坦な環状構造であったが、本実施形態はこれに限定されない。環状部１３２に突起部が設けられてもよい。
【００５６】
また、図１から図３に示した照明器具１００は、枠部１２０の貫通孔内に配置される部材はなかったが、本実施形態はこれに限定されない。枠部１２０の貫通孔に、光源１１０から出射された光を反射する反射部材を配置してもよい。
【００５７】
次に、図４から図７を参照して、本実施形態の照明器具１００を説明する。本実施形態の照明器具１００は、以下に説明する枠部１２０、装着板１３０および回転部１４０の構成、ならびに、枠部１２０の貫通孔に反射部材１５０が配置される点を除いて、図１から図３を参照して上述した照明器具１００と同様の構成を有している。このため、冗長な説明を避ける目的で重複する記載を省略する。
【００５８】
図４は、本実施形態の照明器具１００の模式的な断面図である。照明器具１００は、光源１１０、枠部１２０、装着板１３０、回転部１４０に加えて反射部材１５０をさらに備える。反射部材１５０は、枠部１２０の貫通孔内に配置される。
【００５９】
装着板１３０において環状部１３２には突起部１３２ａが設けられる。突起部１３２ａは環状部１３２から−Ｚ方向に突起する。装着板１３０は突起部１３２ａにおいて枠部１２０の上面と接触する。この場合、回転板１４２に対して接触する装着板１３０の面積を低減でき、回転板１４２に対する摩擦を低減できる。
【００６０】
なお、環状部１３２には複数の突起部１３２ａが設けられることが好ましい。この場合、突起部１３２ａは、環状部１３２の下面に等間隔で配置されることが好ましい。
【００６１】
回転部１４０は、回転板１４２と、光源保持部１４４と、固定部材１４６とを含む。回転板１４２および光源保持部１４４は固定部材１４６によって固定される。
【００６２】
光源保持部１４４は、回転板１４２に対して回動する。ここでは、光源保持部１４４は、回転板１４２に対してＹ方向に回動可能である。なお、光源保持部１４４は、回転板１４２に対して、光源１１０の光軸ＬＡがＺ方向とは平行にはならない姿勢まで回動可能である。
【００６３】
回転板１４２は、平坦部１４２ａと、起立部１４２ｂとを有する。平坦部１４２ａは、ＸＹ平面に広がる環状構造を有する。例えば、平坦部１４２ａは、円環状構造を有する。起立部１４２ｂは、平坦部１４２ａの内周側から＋Ｚ方向に延びる。
【００６４】
光源保持部１４４は、アーム部１４４ａと、ソケット１４４ｓとを有する。アーム部１４４ａは、直線部１４４ａ１と、連絡部１４４ａ２と、直線部１４４ａ３と、カバー部材１４４ｂと、固定部材１４４ｃと、固定部材１４４ｔとを有する。
【００６５】
直線部１４４ａ１は、２層構造である。直線部１４４ａ１は、外側層１４４ｐと内側層１４４ｑとを有する。外側層１４４ｐと内側層１４４ｑとは接触する。外側層１４４ｐと内側層１４４ｑとは、固定部材１４４ｃによって固定される。
【００６６】
内側層１４４ｑのＺ方向の長さは、外側層１４４ｐのＺ方向の長さよりも短い。直線部１４４ａ１の下端部は、回転板１４２の起立部１４２ｂと接触する。なお、直線部１４４ａ３は、直線部１４４ａ１と同様に２層構造であるため、ここでは、直線部１４４ａ３についての説明は省略する。
【００６７】
カバー部材１４４ｂは、光源１１０に対して−Ｙ方向側の側部を覆う。Ｚ軸に対して平面視した場合、カバー部材１４４ｂは半円形状である。カバー部材１４４ｂは、外側層１４４ｐと連絡する。
【００６８】
固定部材１４４ｃは外側層１４４ｐおよび内側層１４４ｑを固定する。直線部１４４ａ１の外側層１４４ｐと内側層１４４ｑには貫通孔が設けられる。固定部材１４４ｃは、外側層１４４ｐおよび内側層１４４ｑの貫通孔に挿入される。固定部材１４４ｃは、ビスまたはリベットを含む。または、固定部材１４４ｃは、ボルトおよびナットを含んでもよい。
【００６９】
固定部材１４４ｔは、ソケット１４４ｓを連絡部１４４ａ２に固定する。連絡部１４４ａ２には貫通孔が設けられる。固定部材１４４ｔは、ビスまたはリベットを含む。または、固定部材１４４ｔは、ボルトおよびナットを含んでもよい。
【００７０】
固定部材１４６は、回転板１４２および光源保持部１４４を固定する。光源保持部１４４は、固定部材１４６を中心に＋Ｙ方向側に回動可能である。
【００７１】
固定部材１４６は、ボルトおよびナットを含む。または、固定部材１４６は、ビスまたはリベットを含んでもよい。
【００７２】
外側層１４４ｐの下端部は回転板１４２の起立部１４２ｂと接触する。直線部１４４ａ１の外側層１４４ｐと回転板１４２の起立部１４２ｂには貫通孔が設けられる。固定部材１４６は、直線部１４４ａ１の外側層１４４ｐおよび回転板１４２の起立部１４２ｂの貫通孔に挿入される。直線部１４４ａ１の外側層１４４ｐと回転板１４２の起立部１４２ｂとは、固定部材１４６によって固定される。
【００７３】
例えば、固定部材１４６がボルト、ビスまたはリベットを含む場合、直線部１４４ａ１に貫通孔が設けられ、起立部１４２ｂに貫通孔が設けられる。起立部１４２ｂの貫通孔および直線部１４４ａ１の貫通孔の大きさはほぼ等しい。直線部１４４ａ１の貫通孔が起立部１４２ｂの貫通孔と整合するように回転板１４２および光源保持部１４４を位置合わせした状態で、ボルト、ビスまたはリベットを、起立部１４２ｂの貫通孔および直線部１４４ａ１の貫通孔に貫通させて回転板１４２および光源保持部１４４を固定する。
【００７４】
一般に、貫通孔の設けられた壁を挟んでボルトにナットを締めた場合、一方側の表面に露出するボルトの大きさは、他方側の表面に露出するナットの大きさよりも大きい。このため、固定部材１４６がボルトおよびナットを含む場合、光源保持部１４４内での光源１１０の設置自由度を高めるために、ボルトを光源保持部１４４の外側に配置し、ナットを光源保持部１４４の内側に配置することが好ましい。
【００７５】
反射部材１５０は、枠部１２０の貫通孔に配置される。反射部材１５０は取付バネ１５５に取り付けられる。反射部材１５０は、光源１１０から−Ｚ方向に向けて出射された光が光源１１０に向かって戻ることを抑制する。
【００７６】
反射部材１５０には貫通孔が設けられる。反射部材１５０の貫通孔の一端が第１開口１５０ａであり、貫通孔の他端が第２開口１５０ｂである。第１開口１５０ａは、光源１１０側に位置し、第２開口１５０ｂは、枠部１２０の出射面側に位置する。光源１１０から出射された光は、第１開口１５０ａから進入し、貫通孔を通過して、第２開口１５０ｂから進出する。
【００７７】
なお、ここでは、第１開口１５０ａおよび第２開口１５０ｂの各々は略円形状である。第１開口１５０ａの中心および第２開口１５０ｂの中心は、光源１１０の光軸ＬＡ上に位置する。
【００７８】
光源１１０から出射された光を効率良く反射するために、少なくとも反射部材１５０の内面は、反射加工が施されていることが好ましい。反射加工は、例えば、白色塗装、銀色塗装、または光沢のある金属メッキを含む。あるいは、反射部材１５０の色が、白色または銀色のような光反射率の高い色彩であってもよい。
【００７９】
取付バネ１５５は、枠部１２０の筒部１２２の外周面に配置される。例えば、取付バネ１５５は、枠部１２０の筒部１２２の外周面に略均等に配置される。枠部１２０の筒部１２２には、取付バネ１５５に対応した切り欠きが設けられる。取付バネ１５５は、ステンレス素材等の板状金属部材の中途部を複数箇所屈曲および湾曲させて形成された板バネである。取付バネ１５５の基端部は枠部１２０の下方側に当接してネジにより固定され、取付バネ１５５の自由端部は枠部１２０の上方側に延出する。
【００８０】
図５（ａ）および図５（ｂ）は、本実施形態の照明器具１００の模式的な斜視図である。図５（ａ）は、照明器具１００を斜め下方から視た斜視図であり、図５（ｂ）は、照明器具１００を斜め上方から視た斜視図である。
【００８１】
上述したように、光源保持部１４４においてカバー部材１４４ｂは光源１１０に対して−Ｙ方向側の側方に位置する。一方で、光源１１０に対して＋Ｙ方向側にはカバー部材１４４ｂは設けられない。
【００８２】
光源保持部１４４は、回転板１４２（図４）に対して＋Ｙ方向側に回動可能である。詳細には、光源保持部１４４は、固定部材１４６を中心に＋Ｙ方向側に回動可能である。
【００８３】
光源保持部１４４の直線部１４４ａ１には、回動規制部１４４ｄが設けられる。回動規制部１４４ｄは、＋Ｙ方向かつ＋Ｚ方向に延びる側部を有する。また、光源保持部１４４の直線部１４４ａ３には、光源保持部１４４の直線部１４４ａ１と同様に回動規制部１４４ｄが設けられる。
【００８４】
光源保持部１４４の直線部１４４ａ１および直線部１４４ａ３が回転板１４２（図４）に対して回動する場合、光源保持部１４４とともに光源１１０も回動する。ただし、光源保持部１４４がある程度回動すると、回動規制部１４４ｄが環状部１３２と接触するため、それ以上は回動できなくなる。このように、直線部１４４ａ１および直線部１４４ａ３の回動規制部１４４ｄによって光源１１０および光源保持部１４４の回動範囲は規制される。
【００８５】
図６（ａ）および図６（ｂ）は、本実施形態の照明器具１００の模式的な分解斜視図である。図６（ａ）は、照明器具１００を斜め下方から視た分解斜視図であり、図６（ｂ）は、照明器具１００を斜め上方から視た分解斜視図である。
【００８６】
反射部材１５０は、第１張出部１５１と、連結部１５２と、第２張出部１５３と、鍔部１５４とを含む。第１張出部１５１の端部に、第１開口１５０ａ（図４）が形成され、第２張出部１５３の端部に、第２開口１５０ｂ（図４）が形成される。
【００８７】
第１張出部１５１は、連結部１５２よりも光源１１０の近くに位置する。第１張出部１５１は、連結部１５２に対して径方向外側に張り出している。
【００８８】
連結部１５２は、第１張出部１５１と第２張出部１５３との間に位置し、第１張出部１５１と第２張出部１５３とを連結する。連結部１５２は、第２張出部１５３よりも光源１１０の近くに位置する。連結部１５２は、中空の略錐台状である。例えば、連結部１５２は、中空の略円錐台状である。
【００８９】
第２張出部１５３は、連結部１５２に対して径方向外側に張り出している。第２張出部１５３は、中空の略円錐台状であり、小径の開口部と大径の開口部とを有する。開口部の各々は略円形状である。第２張出部１５３の内周面の直径は、内面のうち光源１１０に近い側から離れるしたがって漸次大きくなる。第２張出部１５３の内周面は、例えば、放物面、楕円面、または非球面により形成されることが好ましい。この場合、照明器具１００はさらに効果的に照明できる。
【００９０】
本実施形態の照明器具１００も、図３を参照して上述した照明器具１００と同様に組み立てられる。なお、反射部材１５０は、光源１１０を取り付けた後の任意のタイミングで枠部１２０に挿入される。反射部材１５０が挿入されると、反射部材１５０は取付バネ１５５に装着される。また、光源１１０に対して作業を行う場合、光源１１０に対して作業を行う前に、反射部材１５０は枠部１２０から取り外される。
【００９１】
なお、照明器具１００において、枠部１２０の側面に突起部１２０ａが設けられることが好ましい。また、装着板１３０に回転規制部１３２ｂが設けられることが好ましい。さらに、回転板１４２にガイド部１４２ｃが設けられることが好ましい。
【００９２】
次に、図７（ａ）および図７（ｂ）を参照して、枠部１２０の突起部１２０ａ、装着板１３０の回転規制部１３２ｂ、回転板１４２のガイド部１４２ｃを説明する。図７（ａ）および図７（ｂ）は、本実施形態の照明器具１００の模式的な分解斜視図の一部拡大である。図７（ａ）は図６（ａ）の一部拡大部であり、図７（ｂ）は図６（ｂ）の一部拡大部である。なお、図７（ａ）および図７（ｂ）は、図６（ａ）および図６（ｂ）の枠部１２０、装着板１３０および回転板１４２の近傍を拡大して示している。
【００９３】
枠部１２０の側面には突起部１２０ａが設けられる。照明器具１００において、突起部１２０ａは、回転板１４２の側方に位置する。突起部１２０ａは、回転板１４２の側方で回転板１４２の回転面に達する高さまで突起する。突起部１２０ａにより、回転板１４２が枠部１２０と装着板１３０との間から外れることが抑制される。
【００９４】
ここでは、突起部１２０ａは、枠部１２０の外周側面から＋Ｚ方向に突起する。このため、光源１１０の光軸ＬＡ（図４）から突起部１２０ａまでの長さは、光源１１０の光軸ＬＡから枠部１２０の筒部１２２までの長さよりも長い。
【００９５】
なお、枠部１２０の側面には複数の突起部１２０ａが設けられることが好ましい。この場合、突起部１２０ａは、筒部１２２の上面周囲に等間隔で配置されることが好ましい。
【００９６】
装着板１３０には回転規制部１３２ｂが設けられる。回転規制部１３２ｂは、環状部１３２の内周から径方向内側に延びる。
【００９７】
上述したように、回転板１４２は装着板１３０に対して回転する。また、図４に示したように、固定部材１４６の一部が光源保持部１４４の内周側に位置する場合、光源１１０の光軸ＬＡ（図４）から回転規制部１３２ｂの先端までの長さは、光源１１０の光軸ＬＡから固定部材１４６の先端までの長さよりも短い。この場合、固定部材１４６がある程度回転すると、固定部材１４６は回転規制部１３２ｂに衝突する。このため、回転規制部１３２ｂにより、回転部１４０の回転範囲を規制できる。
【００９８】
回転板１４２にはガイド部１４２ｃが設けられる。ここでは、ガイド部１４２ｃは、回転板１４２の内周から径方向内側に延び、その先端において曲がり−Ｚ方向に延びる。このため、組み立てられた照明器具１００において、ガイド部１４２ｃの−Ｚ方向下端は枠部１２０の筒部１２２の側方に位置する。このように、ガイド部１４２ｃは、回転板１４２から内側に延びるとともに枠部１２０の側方に位置する。
【００９９】
この場合、仮に回転板１４２が径方向内側に外れかかっても、ガイド部１４２ｃにより、回転板１４２の移動が規制される。このように、ガイド部１４２ｃにより、回転板１４２の水平面（ＸＹ平面）に沿って外れることが抑制され、回転板１４２の回転がガイドされる。
【０１００】
なお、図７を参照して上述した説明では、突起部１２０ａは枠部１２０の外周側面に設けられたが、本発明はこれに限定されない。突起部１２０ａは枠部１２０の内周側面に設けられてもよい。
【０１０１】
また、図７を参照して上述した説明では、ガイド部１４２ｃが回転板１４２から内側に延びるとともに、ガイド部１４２ｃの先端は枠部１２０の側方に位置したが、本発明はこれに限定されない。ガイド部１４２ｃが回転板１４２の内側に延びるとともに、ガイド部１４２ｃの先端は装着板１３０の側方に位置してもよい。この場合、ガイド部１４２ｃは、回転板１４２の内周から径方向内側に延び、その先端において曲がり＋Ｚ方向に延びる。組み立てられた照明器具１００において、ガイド部１４２ｃの＋Ｚ方向上端は装着板１３０の環状部１３２の側方に位置する。
【０１０２】
または、ガイド部１４２ｃは、回転板１４２から外側に延びるとともに、ガイド部１４２ｃの先端は枠部１２０の側方に位置してもよい。この場合、ガイド部１４２ｃは、回転板１４２の外周から径方向外側に延び、その先端において曲がり−Ｚ方向に延びる。組み立てられた照明器具１００において、ガイド部１４２ｃの−Ｚ方向下端は枠部１２０の筒部１２２の側方に位置する。
【０１０３】
あるいは、ガイド部１４２ｃは、回転板１４２から外側に延びるとともに、ガイド部１４２ｃの先端は装着板１３０の側方に位置してもよい。この場合、ガイド部１４２ｃは、回転板１４２の外周から径方向外側に延び、その先端において曲がり＋Ｚ方向に延びる。組み立てられた照明器具１００において、ガイド部１４２ｃの＋Ｚ方向上端は装着板１３０の環状部１３２の側方に位置する。以上のように、ガイド部１４２ｃは、回転板１４２の内側または外側に延びるとともに枠部１２０または装着板１３０の側方に位置してもよい。
【０１０４】
なお、典型的には、照明器具１００は、取付位置の取付穴に取り付けられる。例えば、照明器具１００は、天井の取付穴に取り付けられてもよい。あるいは、照明器具１００は、側壁の取付穴に取り付けられてもよい。なお、図１から図７に示した照明器具１００は、照明器具１００を取り付けるための部材を備えなかったが、照明器具１００は取付部材を備えることが好ましい。
【０１０５】
次に、図８および図９を参照して、本実施形態の照明器具１００の取り付けを説明する。本実施形態の照明器具１００は、取付部１６０および電源接続部１７０をさらに備える点を除いて、図４から図７を参照して上述した照明器具１００と同様の構成を有している。このため、冗長な説明を避ける目的で重複する記載を省略する。
【０１０６】
図８は、本実施形態の照明器具１００の模式的な断面図である。図９（ａ）および図９（ｂ）は、本実施形態の照明器具１００の模式的な斜視図である。
【０１０７】
照明器具１００は、光源１１０、枠部１２０、装着板１３０、回転部１４０および反射部材１５０に加えて取付部１６０および電源接続部１７０をさらに備える。取付部１６０により、照明器具１００は、取付位置の取付穴に埋め込んで取り付けられる。電源接続部１７０により、照明器具１００は、取付穴の内部にある電源と接続できる。取付部１６０および電源接続部１７０は、枠部１２０の外周側面に取り付けられる。
【０１０８】
取付部１６０は、取付バネ１６０ａおよび取付バネ１６０ｂを含む。取付バネ１６０ａおよび取付バネ１６０ｂは、枠部１２０の外周面に配置される。例えば、取付バネ１６０ａおよび取付バネ１６０ｂは、枠部１２０の外周面に略均等に配置される。取付バネ１６０ｂは、枠部１２０の外周側面において装着板１３０の連結部１３４の固定された位置の下方に配置される。
【０１０９】
取付バネ１６０ａおよび取付バネ１６０ｂは、ステンレス素材等の板状金属部材の中途部を複数箇所屈曲および湾曲させて形成された板バネである。ここでは、取付バネ１６０ａおよび取付バネ１６０ｂは、４か所で折り曲げられた板バネである。
【０１１０】
取付バネ１６０ａおよび取付バネ１６０ｂの基端部は枠部１２０の外周面に当接してネジにより固定され、取付バネ１６０ａおよび取付バネ１６０ｂの自由端部は枠部１２０の側方に延出される。照明器具１００を取付位置に設置する場合、取付バネ１６０ａおよび取付バネ１６０ｂは、広がろうとする弾性力によって枠部１２０および取付穴の周縁を押圧することで、照明器具１００は取付位置に固定される。
【０１１１】
電源接続部１７０は、電源線と接続できる。電源接続部１７０は、アーム１７２と、接続端子１７４とを含む。アーム１７２は、枠部１２０の外周面に取り付けられる。例えば、アーム１７２は、光軸を基準として枠部１２０の外周面のうちの取付バネ１６０ａおよび取付バネ１６０ｂとは９０°離れた位置に配置される。接続端子１７４は、アーム１７２の端部に取り付けられる。
【０１１２】
以上、図１から図９を参照しながら本発明の実施形態を説明した。ただし、本発明は、上記の実施形態に限られるものではなく、その要旨を逸脱しない範囲で種々の態様において実施形態として実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果を実質的に逸脱しない範囲で種々の変更が可能である。
【０１１３】
例えば、図１から図９に示した照明器具１００では、光源１１０は枠部１２０の上方に配置されていたが、本発明はこれに限定されない。光源１１０および枠部１２０は、光源１１０の少なくとも一部の側方が枠部１２０によって囲まれるように配置されてもよい。
【産業上の利用可能性】
【０１１４】
本発明は、照明器具の分野に有用である。
【符号の説明】
【０１１５】
１００    照明器具
１１０    光源
１２０    枠部
１３０    装着板
１４０    回転部
【図１】
2019192485.tif 000003
【図２】
2019192485.tif 000004
【図３】
2019192485.tif 000005
【図４】
2019192485.tif 000006
【図５】
2019192485.tif 000007
【図６】
2019192485.tif 000008
【図７】
2019192485.tif 000009
【図８】
2019192485.tif 000010
【図９】
2019192485.tif 000011